(57)【要約】  洗濯機であって、筐体（１００）と、筐体（１００）内に設けられる洗濯槽（２０６）及び駆動装置（３００）を含み、前記駆動装置（３００）の出力軸（３０３）が洗濯槽（２０６）に接続されて洗濯槽（２０６）を回転駆動する。また、吊架式制振部材（６００）と、洗濯槽（２０６）の下部に設けられる装着部材（７００）を更に含む。前記駆動装置（３００）は前記装着部材（７００）に装着される。前記吊架式制振部材（６００）の一端は筐体（１００）に接続され、他端は装着部材（７００）に接続される。洗濯槽（２０６）の下方に装着部材（７００）を設け、吊架式制振部材（６００）を装着部材（７００）に装着する。装着部材（７００）は洗濯槽（２０６）の位置よりも下寄りであることから、装着部位の高さが低下する。そのため、装着された吊架式制振部材（６００）の傾斜角度が小さくなり、吊架式制振部材（６００）による占有スペースが縮小される。当該構造を洗濯槽（２０６）と筐体（１００）の間に吊架する場合、筐体（１００）の体積を増大することなく、洗濯槽（２０６）の直径を増大可能となり、容量拡大との目的が実現される。【選択図】  図２
2020509846.tif 000002
【特許請求の範囲】
【請求項１】
筐体と、筐体内に設けられる洗濯槽及び駆動装置を含み、前記駆動装置の出力軸が洗濯槽に接続されて洗濯槽を回転駆動する洗濯機であって、
更に、吊架式制振部材と、洗濯槽の下部に設けられる装着部材を含み、前記駆動装置は前記装着部材に装着され、前記吊架式制振部材の一端は筐体に接続され、他端は装着部材に接続されることを特徴とする洗濯機。
【請求項２】
前記装着部材は、吊架式制振部材に組み付けられる装着部を含み、前記装着部は前記洗濯槽の槽底よりも低くなっており、
好ましくは、前記装着部は前記洗濯槽の槽底の下方に位置することを特徴とする請求項１に記載の洗濯機。
【請求項３】
前記装着部の水平方向の投影図は前記洗濯槽の水平方向の投影図の外側に位置することを特徴とする請求項２に記載の洗濯機。
【請求項４】
前記出力軸は、装着部材を貫通して洗濯槽に接続されて洗濯槽を回転駆動し、前記装着部材は、軸受を介して出力軸に接続され、及び／又は、駆動装置のハウジングに固定接続されることを特徴とする請求項１〜６のいずれかに記載の洗濯機。
【請求項５】
前記装着部材は装着プレートであり、前記装着プレートは洗濯槽の下方に設けられ、前記吊架式制振部材の下端は装着プレートの辺縁に組み付けられ、
好ましくは、吊架式制振部材と装着プレートとの接続部が洗濯槽の下部に位置するとともに、洗濯槽の周方向の外側に位置することを特徴とする請求項１〜４のいずれかに記載の洗濯機。
【請求項６】
前記装着プレートは中心対称構造をなしており、前記吊架式制振部材は複数あり、複数の前記吊架式制振部材が装着プレートの全周に均一に分布しており、
好ましくは、前記装着プレートは円形の装着プレートであり、前記装着プレートの直径は前記洗濯槽の直径よりも大きく、前記吊架式制振部材は装着プレートの辺縁に接続されることを特徴とする請求項１〜５のいずれかに記載の洗濯機。
【請求項７】
前記駆動装置は装着プレートの下部に設けられ、前記駆動装置の出力軸は前記装着プレートを貫通し、軸受を介して前記装着プレートに接続されることを特徴とする請求項１〜６のいずれかに記載の洗濯機。
【請求項８】
前記制振部材は、懸架ロッドと、減衰力を発生させる制振ユニットを含み、前記懸架ロッドの一端は筐体の上部に固定され、他端は前記装着部を貫通して制振ユニットに接続され、
或いは、前記筐体には装着ベースが設けられており、前記懸架ロッドの一端が装着部材に接続されるとともに、他端が装着ベースを貫通して制振ユニットに接続されることを特徴とする請求項１〜７のいずれかに記載の洗濯機。
【請求項９】
更に、装着部材に装着される第１制振部材を含み、前記第１制振部材は、一端が装着部材に可動に接続されるとともに、他端が筐体の底部に可動に接続され、
好ましくは、前記第１制振部材は、一端が装着部材にヒンジ接続されるとともに、他端が筐体の底部にヒンジ接続され、
好ましくは、前記第１制振部材はアブソーバであることを特徴とする請求項１〜８のいずれかに記載の洗濯機。
【請求項１０】
更に、駆動装置に設けられる第２制振部材を含み、前記第２制振部材は、一端が駆動装置に固定接続されるとともに、他端が筐体の底壁に固定接続され、
好ましくは、前記駆動装置はモータを含み、前記第２制振部材は、一端がモータの固定子に固定接続され、他端が筐体の底壁に固定接続され、
好ましくは、第２制振装置は制振バネであることを特徴とする請求項１〜９のいずれかに記載のドラム洗濯機。
【発明の詳細な説明】
【技術分野】
【０００１】
本発明は洗濯機の分野に属し、具体的には洗濯機に関する。
【背景技術】
【０００２】
洗濯機は、電気を利用して衣類を洗浄する装置として設計される。一般的に、洗濯機は、洗浄水を蓄える槽と、回転可能に槽の内部に装着される回転槽と、回転可能に回転槽の底部に装着されるパルセータと、回転槽及びパルセータを回転させるよう構成されるモータ及びクラッチを含む。衣類及び洗剤が回転槽に投入された状態で回転槽とパルセータが回転すると、回転槽に投入された衣類とともにパルセータが洗浄水を攪動することで、衣類から汚れが除去される。
【０００３】
洗濯機の洗浄容量を拡大するためには、より大きな回転槽が必要となる。即ち、回転槽の高さ又は直径を増大する必要がある。また、回転槽がより大きなサイズを有する場合には、回転槽を収容する槽及び槽を収容するハウジングもまた、回転槽の拡大に伴って増大する必要がある。
【０００４】
しかし、洗濯機の外観に対応するハウジングの増大は、洗濯機の設置領域のスペースに制限される。一般的なユーザの家では、洗濯機の設置位置に限りがあるため、洗濯機のハウジングを増大して洗濯槽の容量を拡大するとの目的を達成することはあまり現実的ではない。そこで、洗濯機のハウジングを増大することなく、如何にして回転槽の容量を拡大するかが、設計者を悩ませる大きな難題となっている。
【０００５】
通常、回転槽とハウジングの間には、回転槽の振動を低減させるための吊架式制振部材が設置されている。しかし、吊架式制振部材は一般的に斜張式であるため、回転槽とハウジングの間においてスペースを大きく占有しがちであり、回転槽の容積を深刻に制限している。
【０００６】
上記に鑑みて、本発明を提案する。
【発明の概要】
【発明が解決しようとする課題】
【０００７】
本発明が解決しようとする技術的課題は、従来技術における瑕疵を解消し、装着部材を設け、吊架式制振部材の下端を装着部材に組み付けることで、吊架式制振部材の装着スペースを縮小する洗濯機を提供することである。これにより、洗濯機のハウジングを増大することなく、吊架式制振部材の装着スペースの縮小が実現されるため、洗濯槽に保持される収容空間が増大し、洗濯槽の容量拡大が可能となる。
【課題を解決するための手段】
【０００８】
上記の技術的課題を解決すべく、本発明で採用する技術方案の基本思想について以下に述べる。
【０００９】
洗濯機であって、筐体内に設けられる洗濯槽及び駆動装置を含み、前記駆動装置の出力軸が洗濯槽に接続されて洗濯槽を回転駆動し、更に、吊架式制振部材と、洗濯槽の下部に設けられる装着部材を含み、前記駆動装置は前記装着部材に装着され、前記吊架式制振部材の一端は筐体に接続され、他端は装着部材に接続される。
【００１０】
洗濯槽の下方に装着部材を設け、吊架式制振部材を装着部材に装着する。装着部材が洗濯槽の位置よりも下寄りであることから、装着部位の高さが低下する。そのため、装着された吊架式制振部材の傾斜角度が小さくなり、吊架式制振部材による占有スペースが縮小される。当該構造を洗濯槽と筐体の間に吊架する場合、筐体の体積を増大することなく、洗濯槽の直径を増大可能となり、容量拡大との目的が実現される。
【００１１】
前記装着部材は、吊架式制振部材に組み付けられる装着部を含み、前記装着部は前記洗濯槽の槽底よりも低くなっており、好ましくは、前記装着部は前記洗濯槽の槽底の下方に位置する。
【００１２】
装着部を洗濯槽の槽底より低く設けることで、装着部が洗濯槽と筐体の間のスペースを占有することがない。よって、洗濯槽の直径を増大可能となり、容量拡大が実現される。また、装着部が洗濯槽の槽底より低く設けられるため、吊架式制振部材と装着部を組み付けた場合に、吊架式制振部材の傾斜角度が小さくなる。特に、洗濯槽の上部スペースがいっそう節約されることから、洗濯槽の装着のためにより十分なスペースが提供され、洗濯槽の直径が増大するため、容量を拡大するとの目的が実現される。
【００１３】
前記装着部の水平方向の投影図は前記洗濯槽の水平方向の投影図の外側に位置する。
【００１４】
装着部は洗濯槽の槽底の下方に設けられることから、洗濯槽と筐体の間のスペースを占有することがない。更には、装着部の水平方向の投影図が前記洗濯槽の水平方向の投影図の外側に位置するよう、装着部が水平方向において洗濯槽の槽壁の外側まで延伸している。これにより、吊架式制振部材の装着スペースが更に縮小するため、洗濯槽の装着スペースが増大し、洗濯槽の容量拡大が実現される。
【００１５】
前記出力軸は、装着部材を貫通して洗濯槽に接続されて洗濯槽を回転駆動し、前記装着部材は、軸受を介して出力軸に接続され、及び／又は、駆動装置のハウジングに固定接続される。
【００１６】
前記装着部材は、装着部材、駆動装置及び洗濯槽が相対的に独立したひと固まりとなるよう、軸受を介して出力軸に接続され、及び／又は、駆動装置のハウジングに固定接続される。また、制振部材によって装着部材の振動が軽減し、更には洗濯槽、駆動装置の振動軽減が実現されるため、良好な制振効果が実現される。
【００１７】
前記装着部材は装着プレートであり、前記装着プレートは洗濯槽の下方に設けられ、前記吊架式制振部材の下端は装着プレートの辺縁に組み付けられ、好ましくは、吊架式制振部材と装着プレートとの接続部が洗濯槽の下部に位置するとともに、洗濯槽の周方向の外側に位置する。
【００１８】
装着部材は装着プレートであり、吊架式制振部材と装着プレートを接続することで、洗濯槽と駆動装置に対する制振が実現される。
【００１９】
前記装着プレートは中心対称構造をなしており、前記吊架式制振部材は複数あり、複数の前記吊架式制振部材が装着プレートの全周に均一に分布しており、好ましくは、前記装着プレートは円形の装着プレートであり、前記装着プレートの直径は前記洗濯槽の直径よりも大きく、前記吊架式制振部材は装着プレートの辺縁に接続される。
【００２０】
装着プレートを中心対称構造とすることで、装着プレート、洗濯槽及びモータの全体の重心がずれる可能性が低減し、より良好な制振効果が実現される。また、装着プレートを円形とすることで、駆動装置を装着しやすくなるほか、構造がより安定的となる。
【００２１】
前記駆動装置は装着プレートの下部に設けられ、前記駆動装置の出力軸は前記装着プレートを貫通し、軸受を介して前記装着プレートに接続される。
【００２２】
前記制振部材は、懸架ロッドと、減衰力を発生させる制振ユニットを含み、前記懸架ロッドの一端は筐体の上部に固定され、他端は前記装着部を貫通して制振ユニットに接続され、或いは、前記筐体には装着ベースが設けられており、前記懸架ロッドの一端が装着部材に接続されるとともに、他端が装着ベースを貫通して制振ユニットに接続される。
【００２３】
上記の構造によれば、制振ユニットが装着部の下方に位置しており、制振ユニットの水平方向における占有スペースが縮小されるため、洗濯槽の容量拡大に対する制振ユニットの影響が更に減少する。
【００２４】
更に、装着部材に装着される第１制振部材を含み、前記第１制振部材は、一端が装着部材に可動に接続されるとともに、他端が筐体の底部に可動に接続され、好ましくは、前記第１制振部材は、一端が装着部材にヒンジ接続されるとともに、他端が筐体の底部にヒンジ接続され、好ましくは、前記第１制振部材はアブソーバである。
【００２５】
第１制振部材を設け、第１制振部材が装着部材に引っ張り力を付与することで、装着部材が吊架式制振部材と第１制振部材の相互作用によって相対的にバランスを取るため、制振効果がより良好となる。
【００２６】
更に、駆動装置に設けられる第２制振部材を含み、前記第２制振部材は、一端が駆動装置に固定接続されるとともに、他端が筐体の底壁に固定接続され、好ましくは、前記駆動装置はモータを含み、前記第２制振部材は、一端がモータの固定子に固定接続され、他端が筐体の底壁に固定接続され、好ましくは、第２制振装置は制振バネである。
【００２７】
吊架式制振部材と第１制振部材を連携させることで、洗濯槽、装着部材及びモータの運転時に二重の制振が実現され、制振効果が向上する。
【発明の効果】
【００２８】
上記の技術方案を用いることで、本発明は従来技術と比較して以下の有益な効果を有する。即ち、洗濯槽の下方に装着部材を設け、吊架式制振部材を装着部材に装着する。装着部材が洗濯槽の位置よりも下寄りであることから、装着部位の高さが低下する。そのため、装着された吊架式制振部材の傾斜角度が小さくなり、吊架式制振部材による占有スペースが縮小される。当該構造を洗濯槽と筐体の間に吊架する場合、筐体の体積を増大することなく、洗濯槽の直径を増大可能となり、容量拡大との目的が実現される。
【００２９】
以下に、図面を組み合わせて本発明の具体的実施形態につき更に詳細に述べる。
【００３０】
図面は本発明の一部として、本発明の更なる理解のために提供される。本発明の概略的実施例及びその説明は本発明の解釈のために用いられるが、本発明を不当に限定するものではない。なお、言うまでもなく、以下で記載する図面は実施例の一部にすぎず、当業者であれば、創造的労働を要することなくこれらの図面から更にその他の図面を得ることも可能である。
【図面の簡単な説明】
【００３１】
【図１】図１は、本発明における洗濯機の平面構造を示す図である。
【図２】図２は、本発明の洗濯機の図１におけるＡ−Ａ方向の断面構造を示す図である。
【図３】図３は、本発明における他の構造の洗濯機の断面構造を示す図である。
【発明を実施するための形態】
【００３２】
なお、これらの図面及び文字記載は何らかの方式で本発明の構想の範囲を制限するとの意図ではなく、特定の実施例を参照して当業者に本発明の概念を説明するためのものである。
【００３３】
本発明における実施例の目的、技術方案及び利点をより明確とすべく、以下では、本発明の実施例にかかる図面を組み合わせて、実施例の技術方案につき明瞭簡潔に述べる。なお、以下の実施例は本発明を説明するためのものであって、本発明の範囲を制限するものではない。
【実施例１】
【００３４】
図１〜３に示すように、堰止構造を有する容量拡大型洗濯機は、筐体１００と、筐体１００内に設けられる内槽２００と、前記内槽２００を回転駆動する駆動装置３００を含むとともに、内槽２００から排出された水が溢れ出さないよう堰き止める堰止構造を更に含む。前記堰止構造は全体が前記内槽２００の槽底の下部に位置している。また、内槽２００は注水機能を有する。
【００３５】
堰止構造を設けることで、水が内槽２００から排出される際に、堰止構造によって水が堰き止められるため、水が溢れ出すとの事態が防止される。また、堰止構造は、全体が内槽２００の下方に位置しており、内槽２００の側壁と筐体１００の間に位置する部分構造を有さない。そのため、内槽２００の容量拡大を制限することがなく、内槽２００の容量拡大のために十分なスペースが提供される。
【００３６】
前記堰止構造は、上開口を有する集水室４００を含む。前記集水室４００の側壁上端は、前記内槽２００の槽底よりも低くなっている。また、前記内槽２００は集水室４００の上開口と連通している。
【００３７】
集水室４００を設けることで、内槽２００から排出される水の堰き止めが実現される。また、集水室４００の側壁上端が前記内槽２００の槽底よりも低くなっており、集水室４００全体が洗濯槽２０６の槽底の下方に位置しているため、集水室４００の側壁は内槽２００と筐体１００の間に位置する構造を有さない。よって、内槽２００と堰止構造の間に一定の安全距離を設ける必要がなく、内槽２００が堰止構造に衝突して破損するとの事態が防止される。且つ、堰止構造と筐体１００の間に安全距離を設ける必要がないため、内槽２００と筐体１００の間の安全距離を設計するだけでよい。よって、内槽２００の槽径を大幅に増大可能となり、内槽２００の容量拡大がより良好に実現される。
【００３８】
前記集水室４００の側壁と前記内槽２００の槽底の外壁との間には一定の間隔が設けられている。
【００３９】
集水室４００の側壁上端を内槽２００の槽底よりも低くし、且つ、集水室４００の側壁と内槽２００の槽底の外壁との間に一定の間隔を設けることで、洗濯槽２０６が振動時に集水室４００の側壁と衝突するとの事態が防止され、結果として集水室４００の使用寿命が延びる。
【００４０】
前記集水室４００には、堰止構造内の水を排出する排水管４０１が設けられている。前記排水管４０１は洗濯機の外部まで延伸している。
【００４１】
前記内槽２００は、脱水時の排水に用いられる第１排水口２０１と、第１排水口２０１に連通する第１排水管路２０２を含む。前記第１排水管路２０２の吐水口２０３は、堰止構造と連通している。第１排水口２０１と連通する第１排水管路２０２によって洗濯槽２０６内の水を堰止構造に排出し、更に、排水管４０１によって水を排出する。
【実施例２】
【００４２】
図１〜３に示すように、本実施例では実施例１を更に限定する。本実施例において、前記堰止構造は、装着プレート５００と、装着プレート５００に設けられる堰止リブ５０１を含み、前記装着プレート５００と堰止リブ５０１で取り囲むようにして集水室４００を形成している。装着プレート５００と堰止リブ５０１を設け、これらで取り囲むようにして集水室４００を形成するため、当該構造はシンプルであり、加工成形が容易である。
【００４３】
集水室４００は装着プレート５００の中央部に位置するため、堰止装置の重心が中心といっそう重なりやすく、ずれが減少する。
【００４４】
前記堰止リブ５０１は環状をなしており、前記堰止リブ５０１と装着プレート５００で取り囲むようにして環状の集水室４００を形成している。
【００４５】
更に、前記堰止リブ５０１は傾斜して設けられている。堰止リブ５０１を傾斜状に設けることで、堰き止め量を最大限増加させられるため、使用にいっそう都合がよい。
【００４６】
更に、前記堰止リブ５０１は、上開口の口径がより大きくなるよう、上から下へと集水室４００の中心軸線方向に向かって徐々に収縮しているため、収集にいっそう都合がよい。
【００４７】
更に、前記内槽２００の底部外壁は曲面をなしており、前記堰止リブ５０１と内槽２００の曲面の間には一定の間隔が設けられている。
【００４８】
更に、前記内槽２００の水平方向の投影図は、前記集水室４００の水平方向の投影図を覆う。内槽２００の水平方向の投影図が前記集水室４００の水平方向の投影図を覆うようにすることで、集水室４００と筐体１００との間隔が増大し、筐体１００に対する集水室４００の衝突が防止されるため、集水室４００の破損が減少する。且つ、集水室４００が小さくなるため、筐体１００の底部に対するその他装置の取り付けにいっそう都合がよい。
【００４９】
より多くの水を収集可能となるよう、前記内槽２００の水平方向の投影図を前記集水室４００の水平方向の投影図より小さくしてもよい。
【００５０】
更に、装着プレート５００には排水管４０１が設けられている。排水管４０１の一端は集水室４００と連通しており、他端は洗濯機の外部に通じているか、洗濯機の排水管路全体と連通して水を排出する。集水室４００に堰止構造内の水を排出するための排水管４０１を設けることで、水が集水室４００に排出されると、排水管４０１を通じて集水室４００内の水が排出される。よって、集水室４００内の水が過剰となって溢れ出すとの事態が防止される。
【００５１】
更に、内槽２００の槽壁には、第１排水口２０１と、第１排水口２０１に連通する第１排水管路２０２が設けられている。前記第１排水管路２０２の吐水口２０３は、集水室４００の上開口の上方に設けられている。第１排水口２０１と第１排水管路２０２はいずれも複数あり、各第１排水口２０１がそれぞれ第１排水管路２０２に対応してもよいし、複数の第１排水口２０１が１つの第１排水管路２０２に対応してもよい。洗濯機が脱水プログラムを実行する際には、洗濯槽２０６の遠心分離の作用で振り飛ばされた水が、第１排水口２０１を経由して第１排水管路２０２に進入するとともに、第１排水管路２０２の吐水口２０３を通じて集水室４００に排出される。これにより、水が四方に溢れ出すことのないよう堰き止められる。
【００５２】
前記第１排水管路２０２の吐水口２０３は、集水室４００の上開口の上方に設けられている。吐水口２０３と堰止構造を連通することで、脱水時に水が第１排水口２０１を通じて第１排水管路２０２に進入してから、吐水口２０３を通じて集水室４００へと排出されるため、水が溢れ出さないよう堰き止められる。吐水口２０３は、堰止リブ５０１により取り囲まれた集水室４００の上開口の上方に設けられ、吐水口２０３から排出された水が集水室４００に直接落下する。当該構造はよりシンプルであり、その他の付属部材を追加しなくとも集水効果がいっそう良好となる。
【００５３】
更に、前記内槽２００は、脱水及び／又は水の振り飛ばし時に、内槽２００内の水を集水室４００に排出するための第２排水口２０４を更に含む。第２排水口２０４と集水室４００の間には封止装置２０５が設けられている。前記封止装置２０５は、脱水及び／又は水の振り飛ばし時に第２排水口２０４を開放し、内槽２００内の大量の水を第２排水口２０４から排出する一方、洗濯時には前記第２排水口２０４を封止し、水を内槽２００内に保持して洗濯を実施する。
【００５４】
更に、前記第２排水口２０４は、前記集水室４００の上開口の上方に設けられており、前記封止装置２０５は第２排水口２０４の下部に設けられている。
【００５５】
第２排水口２０４を設け、脱水及び／又は水の振り飛ばし時に封止装置２０５が第２排水口２０４を開放することで、内槽２００内の水が堰止構造に直接排出される。水は堰止リブ５０１によって溢れ出ないよう堰き止められるとともに、排水管４０１を通じて洗濯機から排出される。また、洗濯時には、封止装置２０５が第２排水口２０４を封止することで、内槽２００内の水を内槽２００内に保持して洗濯を実施する。
【００５６】
洗濯機は、パルセータ洗濯機である。
【００５７】
前記封止装置２０５は、弁体２０５−１と、弁体２０５−１の下方に設けられる電磁装置２０５−２を含む。電磁装置２０５−２は洗濯機の制御装置に電気的に接続される。洗濯機が洗濯状態の場合、弁体２０５−１は第２排水口２０４を封止して内槽２００内の水の排出を防止する。また、洗濯機が排水又は脱水状態の場合、前記電磁装置２０５−２は弁体２０５−１が下方に運動するよう制御し、第２排水口２０４を開放することで、水を堰止構造に排出する。
【００５８】
装着プレート５００には位置決め装置が設けられており、内槽２００の底壁には位置決め装置と連携する連携部が設けられている。連携部は位置決め凹溝とすればよい。脱水及び／又は水の振り飛ばし時において、位置決め装置は連携部から離脱し、内槽２００が出力軸３０３に従って回転する。洗濯機が洗濯状態の場合、位置決め装置は連携部と連携し、内槽２００が装着プレート５００に係合する。すると、弁体２０５−１がちょうど第２排水口２０４と対向し、第２排水口２０４を封止することで、内槽２００内の水の排出が防止される。また、出力軸が洗濯機内のパルセータを回転させる。
【００５９】
更に、前記装着プレート５００は内槽２００と駆動装置３００の間に設けられる。前記装着プレート５００の下部は、駆動装置３００のハウジングに固定接続される。装着プレート５００を内槽２００と駆動装置３００の間に設けることで、内槽２００内の水が自重により落下して、自動的に堰止構造に流入可能となる。また、装着プレート５００が駆動装置３００の上部に設けられるため、水が駆動装置３００から隔離され、水に起因する駆動装置３００の破損が防止される。
【００６０】
駆動装置３００はモータ３０１を含む。モータ３０１の上方には減速クラッチ装置３０２が設けられており、装着プレート５００の下部が減速クラッチ又はモータ３０１のハウジングに固定接続される。
【００６１】
装着プレート５００と駆動装置３００の接続方式としては、軸受を介して前記装着プレート５００と駆動装置３００の出力軸３０３を接続してもよい。
【００６２】
更に、減速クラッチの出力軸３０３は、前記装着プレート５００を貫通して内槽２００に接続され、内槽２００を回転駆動する。また、装着プレート５００と駆動装置３００の出力軸３０３は、軸受を介して接続される。
【実施例３】
【００６３】
図１〜２に示すように、洗濯機は、筐体１００、筐体１００内に設けられる洗濯槽２０６及び駆動装置３００を含む。前記駆動装置３００の出力軸３０３は洗濯槽２０６に接続されて、洗濯槽２０６を回転駆動する。洗濯機は、更に、吊架式制振部材６００と、洗濯槽２０６の下部に設けられる装着部材７００を含む。前記駆動装置３００は前記装着部材７００に装着される。前記吊架式制振部材６００の一端は筐体１００に接続され、他端は装着部材７００に接続される。
【００６４】
洗濯槽２０６の下方に装着部材７００を設け、吊架式制振部材６００を装着部材７００に装着する。装着部材７００は洗濯槽２０６の位置よりも下寄りであることから、装着部７０１の縦方向の高さが低下する。そのため、装着された吊架式制振部材６００と筐体の側壁との傾斜角度θが小さくなり、吊架式制振部材６００による占有スペースが縮小される。当該構造を洗濯槽２０６と筐体１００の間に吊架する場合、筐体１００の体積を増大することなく、洗濯槽２０６の直径を増大可能となり、容量拡大との目的が実現される。
【００６５】
洗濯槽２０６は、内槽２００のみを有する洗濯槽２０６とし、内槽２００を注水及び洗濯に用いてもよいし、内槽２００と外槽を有する洗濯槽２０６としてもよい。
【００６６】
更に、前記装着部材７００は、吊架式制振部材６００に組み付けられる装着部７０１を含む。前記装着部７０１は、前記洗濯槽２０６の槽底よりも低くなっている。
【００６７】
装着部７０１は洗濯槽２０６の槽底よりも低くなっているため、洗濯槽２０６と筐体１００の間のスペースを占有しない。よって、洗濯槽２０６の直径を増大可能となり、容量拡大が実現される。
【００６８】
更に、前記装着部７０１は、前記洗濯槽２０６の槽底の下方に位置している。装着部７０１が洗濯槽２０６の槽底より低く設けられているため、吊架式制振部材６００と装着部７０１を組み付けた場合に、吊架式制振部材６００と筐体１００の間に形成される傾斜角度が小さくなる。即ち、吊架式制振部材６００と筐体１００の内壁がいっそう密着するため、洗濯槽２０６にいっそう十分なスペースが保持される。よって、洗濯槽２０６の直径を増大することで容量を拡大するとの目的を実現可能となる。
【００６９】
更に、前記装着部７０１の水平方向の投影図は前記洗濯槽２０６の水平方向の投影図の外側に位置する。
【００７０】
装着部７０１が洗濯槽２０６の槽底の下方に設けられ、洗濯槽２０６と筐体１００の間のスペースを占有しないことから、装着部７０１が洗濯槽２０６に衝突することはない。これを前提として、装着部７０１の水平方向の投影図が前記洗濯槽２０６の水平方向の投影図の外側に位置するよう、装着部７０１を水平方向において洗濯槽２０６の槽壁の外側まで延伸する。これにより、吊架式制振部材６００の装着スペースが更に縮小するため、洗濯槽２０６の装着スペースが増大し、洗濯槽２０６の容量拡大が実現される。
【００７１】
更に、前記出力軸３０３は、装着部材７００を貫通して洗濯槽２０６に接続され、洗濯槽２０６を回転駆動する。また、前記装着部材７００と出力軸３０３は軸受を介して接続される。
【００７２】
装着部材７００は、装着部材７００、駆動装置３００及び洗濯槽２０６が相対的に独立したひと固まりとなるよう、駆動装置３００のハウジングに固定接続してもよい。また、装着部材７００は、装着部材７００、駆動装置３００及び洗濯槽２０６が相対的に独立したひと固まりとなるよう、駆動装置３００のハウジングに固定接続するとともに、軸受を介して出力軸３０３に接続してもよい。
【００７３】
前記装着部材７００は、装着部材７００、駆動装置３００及び洗濯槽２０６が相対的に独立したひと固まりとなるよう、軸受を介して出力軸３０３に接続され、及び／又は、駆動装置３００のハウジングに固定接続されてもよい。また、制振部材によって装着部材７００の振動が軽減し、更には洗濯槽２０６、駆動装置３００の振動軽減が実現されるため、良好な制振効果が実現される。
【００７４】
前記装着部材７００は中心対称構造をなしている。また、前記吊架式制振部材６００は複数あり、複数の前記吊架式制振部材６００が装着部材７００の全周に均一に分布している。
【００７５】
装着プレート５００を中心対称構造とすることで、装着プレート５００、洗濯槽２０６及びモータ３０１の全体的な重心がずれる可能性が低減し、より良好な制振効果が実現される。また、装着プレート５００を円形とすることで、駆動装置３００を装着しやすくなるほか、構造がより安定的となる。
【実施例４】
【００７６】
図１〜２に示すように、本実施例では実施例３を更に限定する。本実施例における装着部材７００は、平板状の円形の装着プレート５００であり、装着プレート５００の直径が前記洗濯槽２０６の直径より大きくなっている。前記装着プレート５００は洗濯槽２０６の下方に設けられ、前記吊架式制振部材６００の下端が装着プレート５００の辺縁に組み付けられる。これにより、吊架式制振部材６００と装着プレート５００との接続部が洗濯槽２０６の下部に位置するとともに、洗濯槽２０６の周方向の外側に位置する。即ち、装着部７０１は洗濯槽２０６の槽底の斜め下方に位置することから、吊架式制振部材６００の懸架スペースが縮小される。そのため、筐体１００の体積を増大させることなく、洗濯槽２０６のために保持されるスペースが増大する。
【００７７】
前記駆動装置３００は装着プレート５００の下部に組み付けられる。前記駆動装置３００の出力軸３０３は前記装着プレート５００を貫通し、軸受を介して前記装着プレート５００に接続される。
【００７８】
吊架式制振部材６００は４つあり、円形の装着プレート５００の全周に均一に分布している。
【００７９】
前記制振部材は、懸架ロッド６０２と、減衰力を発生させる制振ユニット６０１を含む。前記懸架ロッド６０２の一端は筐体１００の上部に固定され、他端は前記装着部７０１を貫通して制振ユニット６０１に接続される。
【００８０】
制振ユニット６０１は装着プレート５００の下部に位置しているため、制振ユニット６０１が水平方向において筐体１００と洗濯槽２０６の間のスペースを占有することがない。よって、洗濯槽２０６の容量拡大を制振ユニット６０１が妨げるとの事態が低減する。
【００８１】
制振部材と筐体１００及び装着プレート５００との装着方式としては、更に、前記筐体１００の上部に装着ベースを設け、前記懸架ロッド６０２の一端が装着部材７００に接続されるとともに、他端が装着ベースを貫通して制振ユニット６０１に接続されるようにしてもよい。
【００８２】
装着部材７００は、十字型の装着プレート５００としてもよい。吊架式制振部材６００は、十字型の装着プレート５００における各分岐の辺縁にそれぞれ接続される。吊架式制振部材６００と十字型の装着プレート５００を接続する装着部７０１は洗濯槽２０６の槽底よりも低くなっているため、洗濯槽２０６と筐体１００の間のスペースを占有することがない。且つ、装着部７０１を低くすることで、吊架式制振部材６００の装着スペースが縮小され、洗濯槽２０６の容量拡大が実現される。
【００８３】
装着プレート５００は平板としてもよいし、中央が高く辺縁が低い構造としてもよい。例えば、環状の辺縁プレート、円形の中心プレート、及び辺縁プレートと中心プレートを接続する接続垂直プレートを含み、断面が「Ω」状をなすようにしてもよい。
【００８４】
装着プレート５００は、駆動装置３００のハウジングに固定接続してもよいし、言うまでもなく、軸受を介してハウジング及び出力軸３０３の双方に接続してもよい。
【実施例５】
【００８５】
図１〜３に示すように、実施例３及び実施例４を元に、本実施例では、制振装置がモータ３０１を含む。モータには減速クラッチが設けられており、減速クラッチの出力軸３０３が洗濯槽２０６に接続されて洗濯槽２０６を回転駆動する。前記制振装置は、第１制振部材７０３を更に含む。前記第１制振部材７０３は、一端が装着部材７００に可動に接続され、他端が筐体１００の底部に可動に接続される。第１制振部材７０３は装着部材７００に下方向の引っ張り力を付与する。これにより、装着部材７００は、第１制振部材７０３からの下方向の引っ張り力と吊架式制振部材６００からの上方向の引っ張り力を同時に受けることになり、これらの合力の作用によって、より良好な制振効果が実現される。
【００８６】
装着部材７００は円形且つ平板状の装着プレート５００である。吊架式制振部材６００が上部から装着プレート５００に接続され、第１制振部材７０３が下部から装着プレート５００に接続されることで、吊架式制振部材６００と第１制振部材７０３が同時に装着プレート５００に作用可能となる。これにより、装着プレート５００に制振作用が奏されるため、洗濯槽２０６とモータ３０１に対する制振効果が実現される。
【００８７】
装着部材７００の他の方案として、装着部材７００は、吊架式制振部材６００に接続される装着大プレート７００−１と、第１制振部材７０３に接続される装着小プレート７００−２を含む。装着大プレート７００−１と装着小プレート７００−２は、装着部材の強度が補強されるよう補強リブを介して接続される。補強リブは間隔を置いて設けられるため、補強効果がより良好となる。洗濯機の筐体１００の底壁には、補強構造とその他の部材を装着する必要があるため、一般的には、装着大プレート７００−１の直径を装着小プレート７００−２の直径よりも大きく設計することで、その他の部材を装着するためのスペースを提供する。このように、別々に設けることで装着部材７００下方のスペースがより節約されるため、使用にいっそう都合がよい。
【００８８】
更に、前記第１制振部材７０３は、一端が装着部材７００にヒンジ接続され、他端が筐体１００の底部にヒンジ接続される。
【００８９】
更には、前記第１制振部材７０３はアブソーバである。
【００９０】
更に、洗濯機は、駆動装置３００に設けられる第２制振部材７０４を含む。前記第２制振部材７０４は、一端が駆動装置３００に固定接続されるとともに、他端が筐体１００の底壁に固定接続される。
【００９１】
第２制振部材７０４を設け、駆動装置３００に下方向の引っ張り力又は上方向の弾性力を付与するとともに、第１制振部材７０３と吊架式制振部材６００を組み合わせることで、装着プレート５００、駆動装置３００及び洗濯槽２０６から形成されるひと固まりに対し、各部材の相互作用によってより良好な制振効果が達せられる。
【００９２】
更に、前記第２制振部材７０４は、一端がモータ３０１の固定子に固定接続され、他端が筐体１００の底壁に固定接続される。
【００９３】
更には、第２制振装置は制振バネである。
【００９４】
更には、洗濯機には、内槽２００から排出された水が溢れ出さないよう堰き止める堰止構造が更に設けられている。前記堰止構造は全体が前記内槽２００の槽底の下部に位置している。堰き止め構造は、上開口を有する集水室４００を含む。前記集水室４００の側壁上端は、前記内槽２００の槽底よりも低くなっている。また、前記内槽２００は集水室４００の上開口と連通している。
【００９５】
具体的に、装着プレート５００には堰止リブ５０１が設けられ、前記装着プレート５００と堰止リブ５０１で取り囲むようにして集水室４００を形成している。装着プレート５００と堰止リブ５０１を設け、これらで取り囲むようにして集水室４００を形成するため、当該構造はシンプルであり、加工成形が容易である。
【００９６】
集水室４００は装着プレート５００の中央部に位置するため、堰止装置の重心が中心といっそう重なりやすく、ずれが減少する。
【００９７】
前記堰止リブ５０１は環状をなしており、前記堰止リブ５０１と装着プレート５００で取り囲むようにして環状の集水室４００を形成している。
【００９８】
更に、前記堰止リブ５０１は傾斜して設けられている。堰止リブ５０１を傾斜状に設けることで、堰き止め量を最大限増加させられるため、使用にいっそう都合がよい。
【００９９】
更に、前記堰止リブ５０１は、上開口の口径がより大きくなるよう、上から下へと集水室４００の中心軸線方向に向かって徐々に収縮しているため、収集にいっそう都合がよい。
【０１００】
更に、前記内槽２００の底部外壁は曲面をなしており、前記堰止リブ５０１と内槽２００の曲面の間には一定の間隔が設けられている。
【０１０１】
更に、前記内槽２００の水平方向の投影図は、前記集水室４００の水平方向の投影図を覆う。内槽２００の水平方向の投影図が前記集水室４００の水平方向の投影図を覆うようにすることで、集水室４００と筐体１００との間隔が増大し、筐体１００に対する集水室４００の衝突が防止されるため、集水室４００の破損が減少する。且つ、集水室４００が小さくなるため、筐体１００の底部に対するその他装置の取り付けにいっそう都合がよい。
【０１０２】
より多くの水を収集可能となるよう、前記内槽２００の水平方向の投影図を前記集水室４００の水平方向の投影図より小さくしてもよい。
【０１０３】
更に、装着プレート５００には排水管４０１が設けられている。排水管４０１の一端は集水室４００と連通しており、他端は洗濯機の外部に通じているか、洗濯機の排水管路全体と連通して水を排出する。集水室４００に堰止構造内の水を排出するための排水管４０１を設けることで、水が集水室４００に排出されると、排水管４０１を通じて集水室４００内の水が排出される。よって、集水室４００内の水が過剰となって溢れ出すとの事態が防止される。
【０１０４】
更に、内槽２００の槽壁には、第１排水口２０１と、第１排水口２０１に連通する第１排水管路２０２が設けられている。前記第１排水管路２０２の吐水口２０３は、集水室４００の上開口の上方に設けられている。第１排水口２０１と第１排水管路２０２はいずれも複数あり、各第１排水口２０１がそれぞれ第１排水管路２０２に対応してもよいし、複数の第１排水口２０１が１つの第１排水管路２０２に対応してもよい。洗濯機が脱水プログラムを実行する際には、洗濯槽２０６の遠心分離の作用で振り飛ばされた水が、第１排水口２０１を経由して第１排水管路２０２に進入するとともに、第１排水管路２０２の吐水口２０３を通じて集水室４００に排出される。これにより、水が四方に溢れ出すことのないよう堰き止められる。
【０１０５】
前記第１排水管路２０２の吐水口２０３は、集水室４００の上開口の上方に設けられている。吐水口２０３と堰止構造を連通することで、脱水時に水が第１排水口２０１を通じて第１排水管路２０２に進入してから、吐水口２０３を通じて集水室４００へと排出されるため、水が溢れ出さないよう堰き止められる。吐水口２０３は、堰止リブ５０１により取り囲まれた集水室４００の上開口の上方に設けられ、吐水口２０３から排出された水が集水室４００に直接落下する。当該構造はよりシンプルであり、その他の付属部材を追加しなくとも集水効果がいっそう良好となる。
【０１０６】
更に、前記内槽２００は、脱水及び／又は水の振り飛ばし時に、内槽２００内の水を集水室４００に排出するための第２排水口２０４を更に含む。第２排水口２０４と集水室４００の間には封止装置２０５が設けられている。前記封止装置２０５は、脱水及び／又は水の振り飛ばし時に第２排水口２０４を開放し、内槽２００内の大量の水を第２排水口２０４から排出する一方、洗濯時には前記第２排水口２０４を封止し、水を内槽２００内に保持して洗濯を実施する。
【０１０７】
更に、前記第２排水口２０４は、前記集水室４００の上開口の上方に設けられており、前記封止装置２０５は第２排水口２０４の下部に設けられている。
【０１０８】
第２排水口２０４を設け、脱水及び／又は水の振り飛ばし時に封止装置２０５が第２排水口２０４を開放することで、内槽２００内の水が堰止構造に直接排出される。水は堰止リブ５０１によって溢れ出ないよう堰き止められるとともに、排水管４０１を通じて洗濯機から排出される。また、洗濯時には、封止装置２０５が第２排水口２０４を封止することで、内槽２００内の水を内槽２００内に保持して洗濯を実施する。
【０１０９】
洗濯機は、パルセータ洗濯機である。
【０１１０】
前記封止装置２０５は、弁体２０５−１と、弁体２０５−１の下方に設けられる電磁装置２０５−２を含む。電磁装置２０５−２は洗濯機の制御装置に電気的に接続される。洗濯機が洗濯状態の場合、弁体２０５−１は第２排水口２０４を封止して内槽２００内の水の排出を防止する。また、洗濯機が排水又は脱水状態の場合、前記電磁装置２０５−２は弁体２０５−１が下方に運動するよう制御し、第２排水口２０４を開放することで、水を堰止構造に排出する。
【０１１１】
装着プレート５００には位置決め装置が設けられており、内槽２００の底壁には位置決め装置と連携する連携部が設けられている。連携部は位置決め凹溝とすればよい。脱水及び／又は水の振り飛ばし時において、位置決め装置は連携部から離脱し、内槽２００が出力軸３０３に従って回転する。洗濯機が洗濯状態の場合、位置決め装置は連携部と連携し、内槽２００が装着プレート５００に係合する。すると、弁体２０５−１がちょうど第２排水口２０４と対向し、第２排水口２０４を封止することで、内槽２００内の水の排出が防止される。また、出力軸が洗濯機内のパルセータを回転させる。
【０１１２】
更に、前記装着プレート５００は内槽２００と駆動装置３００の間に設けられる。前記装着プレート５００の下部は、駆動装置３００のハウジングに固定接続される。装着プレート５００を内槽２００と駆動装置３００の間に設けることで、内槽２００内の水が自重により落下して、自動的に堰止構造に流入可能となる。また、装着プレート５００が駆動装置３００の上部に設けられるため、水が駆動装置３００から隔離され、水に起因する駆動装置３００の破損が防止される。
【０１１３】
駆動装置３００はモータ３０１を含む。モータ３０１の上方には減速クラッチ装置３０２が設けられており、装着プレート５００の下部が減速クラッチ又はモータ３０１のハウジングに固定接続される。
【０１１４】
装着プレート５００と駆動装置３００の接続方式としては、軸受を介して前記装着プレート５００と駆動装置３００の出力軸３０３を接続してもよい。
【０１１５】
更に、減速クラッチの出力軸３０３は、前記装着プレート５００を貫通して内槽２００に接続され、内槽２００を回転駆動する。また、装着プレート５００と駆動装置３００の出力軸３０３は、軸受を介して接続される。
【０１１６】
以上は本発明の好ましい実施例にすぎず、本発明を何らかの形式に限定するものではない。本発明については好ましい実施例によって上記のように開示したが、本発明を限定するとの主旨ではなく、本発明の技術方案を逸脱しない範囲において、当業者が上記で提示した技術内容を用いて行うわずかな変形或いは補足は、同等に変形された等価の実施例とみなされる。本発明の技術方案の内容を逸脱することなく、本発明の技術的本質に基づいて上記の実施例に加えられる簡単な修正、同等の変形及び補足は、いずれも本発明の方案の範囲内とされる。
【符号の説明】
【０１１７】
１００  筐体
２００  内槽
２０１  第１排水口
２０２  第１排水管路
２０３  吐水口
２０４  第２排水口
２０５  封止装置
２０５−１  弁体
２０５−２  電磁装置
２０６  洗濯槽
３００  駆動装置
３０１  モータ
３０２  減速クラッチ装置
３０３  出力軸
４００  集水室
４０１  排水管
５００  装着プレート
５０１  堰止リブ
６００  吊架式制振部材
６０１  制振ユニット
６０２  懸架ロッド
７００  装着部材
７００−１  装着大プレート
７００−２  装着小プレート
７０１  装着部
７０３  第１制振部材
７０４  第２制振部材
【図１】
2020509846.tif 000003
【図２】
2020509846.tif 000004
【図３】
2020509846.tif 000005
【国際調査報告】
2020509846.tif 000006
2020509846.tif 000007
2020509846.tif 000008
2020509846.tif 000009
2020509846.tif 000010
2020509846.tif 000011